(57)【要約】【課題】  両面形式の遊技機島に組み込まれ、ベルトとローラとで挟持して搬送する紙幣搬送装置において、搬送レール内で生じたジャム紙幣の取り除きの作業性を向上させる。【解決手段】  紙幣搬送装置１の本体を透明材料によって形成し、その長手方向に適宜間隔をおいて並設した紙幣通過センサ１５に対応して、照明用の発光体２５を紙幣搬送装置１の前面側と背面側とに略対称に並設する。また、紙幣通過センサ１５に一対一で対応する発光体２６を外部より視認できる箇所に配設する。ジャム障害発生箇所にて点灯するようにした発光体２６によって、遊技機列のどちら側のどの位置で発生したかが判別でき、発光体２５によって紙幣搬送装置１の前面と背面とから照明されるので、取り除き作業の際の手暗がりがなくなる。【選択図】  図３
2005342483.tif 000002
【特許請求の範囲】
【請求項１】
横並びさせた遊技機列を背中合わせに配置して両面形式の遊技機設置島が形成され、前記遊技機設置島には中央部を長手方向に貫いて紙幣の搬送レールが配設され、前記搬送レールには紙幣導入機構が適所に付設されており、
前記搬送レールには、横長にして立てた状態の紙幣を上下から嵌挿する搬送溝部が形成されるとともに、上下の中間位置には前記搬送溝部に沿って一方向に移動するエンドレスベルトが配設され、前記エンドレスベルトに当接させた搬送ローラを所定の間隔でもって並列させることにより、前記エンドレスベルトと前記搬送ローラとの間に前記紙幣が挟持されて順次繰り出されるように構成され、
前記紙幣導入機構には、前記エンドレスベルトに当接させたプーリを駆動源として回転する回転駒が装着され、前記回転駒が、紙幣導入口より導入される紙幣を引き込み、合流口より前記搬送レールへと送り出す作用を有するように構成されてなる紙幣搬送装置において、
前記紙幣搬送装置は、その本体が透明材料によって形成され、その長手方向には紙幣の搬送異常を検出する搬送異常検出手段が適宜並設されるとともに、前記搬送異常検出手段に対応して、照明用の発光体が、前記紙幣搬送装置の前面側と背面側とに略対称に並設され、前記搬送異常検出手段によって異常が検出されたときは、異常発生箇所に対応する前記発光体が点灯して、紙幣搬送装置の前面側と背面側とから同時に照明するように構成されていることを特徴とする紙幣搬送装置。
【請求項２】
前記紙幣搬送装置において異常の発生した遊技機列について、異常発生箇所を外部より認識することのできる報知手段が、遊技機設置島に装着されていることを特徴とする請求項１に記載の紙幣搬送装置。
【請求項３】
前記発光体は、反射板を伴って前記紙幣搬送装置の上部および／または下部に配設されていることを特徴とする請求項１または請求項２に記載の紙幣搬送装置。
【発明の詳細な説明】
【技術分野】
【０００１】  本発明は、複数の遊技機を並列させて形成した両面形式の遊技機設置島に組み込まれる紙幣搬送装置に関し、特にベルトとローラとで挟持して搬送する紙幣搬送装置に関する。
【背景技術】
【０００２】  パチンコ台やスロットマシンに代表される遊技機は、複数の遊技機を横一列に並列させた遊技機列として形成される。通常は、さらに二列の遊技機列が背中合わせに配置されて両面形式の遊技機設置島に形成される。遊技機設置島の上部には、たとえば下から順に、遊技媒体収納箱（いわゆる、ドル箱）置き場、遊技情報などを表示するランプ板、幕板などが載置される。そして、このような遊技機設置島が一つのユニットとなって、遊技ホール内にレイアウトされる。【０００３】  遊技機設置島を自動化・省人化を推し進めた構成とする場合には、遊技媒体自動循環装置や紙幣搬送装置などの装置が遊技機設置島に組み込まれる。このうち、遊技媒体自動循環装置は、ゲーム済みとなったパチンコ玉やメダルなどの遊技媒体を回収して自動的に遊技機に補給する循環システムである。また、紙幣搬送装置は、遊技客がゲームを行うために、遊技機に隣接して適所に配備される遊技媒体貸機（たとえば台間玉貸機や台間メダル貸機）に投入した紙幣を搬送して紙幣収納庫に収納する装置である。【０００４】  紙幣搬送装置には、遊技機設置島の中央部を長手方向に貫いて、紙幣を搬送するためのレールが備えられている。より詳しくは、たとえば背中合わせにされた遊技機列の上に載置される前記ドル箱置き場同士の背面に形成した空隙部を利用して設置される。したがって、紙幣を立てた状態で搬送する構成とするのが、スペースをとらず、広いドル箱置き場が確保できる点から好適である。【０００５】  具体的には、搬送ベルトと、これに沿って並列させた搬送ローラとの間に紙幣を挟持して順次繰り出す方法が実用化されている。搬送ベルトには、一般的にエンドレスなゴム製の丸ベルトが使用され、遊技機設置島の両端に配設されて垂直回転するプーリ間に掛け渡された搬送ベルトの往復の移動部分のうち、片一方の側の移動部分が利用される。この移動部分に、搬送ベルトを挟んで両サイドから対向して当接させた一対の搬送ローラを長手方向に並設することでもって、両面形式の遊技機設置島の両面に適応する紙幣搬送装置が構築されたことになる。【０００６】  搬送レールには、紙幣を横長に置いて立てた状態で、上と下とから紙幣の長辺部を嵌挿する搬送溝部が備わっている。この搬送溝部は、通過する紙幣の前面を覆う側壁板と、紙幣の背面側に設けられる仕切り片とによって溝状に形成されたものであり、背中合わせに配置された遊技機列の双方から対称的に形成される。さらに、紙幣搬送レールには、紙幣導入機構が付設されている。この紙幣搬送装置は、遊技客が遊技媒体と交換する目的で遊技媒体貸機に投入した紙幣を引き込み、搬送レールに送り込んで合流させる機能を有するものである。そして、これら搬送レールや紙幣導入機構の本体は、ジャムなどの不具合を監視し発見しやすいように、透明な材料によって作られている。【０００７】  特許文献１には、ジャム紙幣の処理を容易にすることのできる紙葉類搬送装置が開示されている。この特許文献１によれば、紙葉類が搬送される搬送路と、搬送路の所定箇所に少なくとも１個配置され、搬送路を搬送される紙葉類の搬送異常を検出する異常検出手段と、異常検出手段の配置位置の近傍に夫々対応して設けられた照明手段とを備え、異常検出手段の検出出力に基づいて、搬送異常を報知すると共に、対応する照明手段を点灯させる構成とすることにより、紙葉類のジャム障害を検出したセンサ付近を照明することができ、ジャム紙幣の処理を容易にすることができるとしている。【０００８】
【特許文献１】  特開平５−３３８８６１号公報
【発明の開示】
【発明が解決しようとする課題】
【０００９】  本発明は、両面対応の遊技機設置島に組み込まれる紙幣搬送装置を対象としたものである。両面形式の紙幣搬送装置においてジャム障害が発生したときは、まず、ジャム障害が手前側の遊技機列において発生したのか、反対側の遊技機列において発生したのかという問題も含めて、発生箇所を速やかに特定することが重要である。ジャム紙幣の所在が明らかとなったら、次に、それを素早く取り除いて復旧させるということが重要となる。しかしながら、遊技機設置島の奥の方は暗がりとなっているため、紙幣搬送装置内の様子が見えにくい。本発明の目的は、このような状況を改善して、遊技場の係員がジャム紙幣を取り除きやすくする作業環境を提供することにある。
【課題を解決するための手段】
【００１０】  本発明は、上記の如き課題に鑑みなされたもので、横並びさせた遊技機列を背中合わせに配置して両面形式の遊技機設置島が形成され、前記遊技機設置島には中央部を長手方向に貫いて紙幣の搬送レールが配設され、前記搬送レールには紙幣導入機構が適所に付設されており、前記搬送レールには、横長にして立てた状態の紙幣を上下から嵌挿する搬送溝部が形成されるとともに、上下の中間位置には前記搬送溝部に沿って一方向に移動するエンドレスベルトが配設され、前記エンドレスベルトに当接させた搬送ローラを所定の間隔でもって並列させることにより、前記エンドレスベルトと前記搬送ローラとの間に前記紙幣が挟持されて順次繰り出されるように構成され、前記紙幣導入機構には、前記エンドレスベルトに当接させたプーリを駆動源として回転する回転駒が装着され、前記回転駒が、紙幣導入口より導入される紙幣を引き込み、合流口より前記搬送レールへと送り出す作用を有するように構成されてなる紙幣搬送装置において、前記紙幣搬送装置は、その本体が透明材料によって形成され、その長手方向には紙幣の搬送異常を検出する搬送異常検出手段が適宜並設されるとともに、前記搬送異常検出手段に対応して、照明用の発光体が、前記紙幣搬送装置の前面側と背面側とに略対称に並設され、前記搬送異常検出手段によって異常が検出されたときは、異常発生箇所に対応する前記発光体が点灯して、紙幣搬送装置の前面側と背面側とから同時に照明するように構成されていることを特徴とする。【００１１】  また、前記紙幣搬送装置において異常の発生した遊技機列について、異常発生箇所を外部より認識することのできる報知手段が、遊技機設置島に装着されていることを特徴とする。さらに、前記発光体は、反射板を伴って前記紙幣搬送装置の上部および／または下部に配設されていることを特徴とする。
【発明の効果】
【００１２】  本発明によれば、紙幣搬送装置を収納する収納体の蓋の一部を開放することにより、異常発生箇所において点灯する発光体によって、ジャム障害の発生箇所がどの辺りにあるかを見つけることは容易である。異常発生箇所が確認できたら、次に、その発生箇所が手前側の遊技機列にあるのか、反対側の遊技機列にあるのかが問題となる。これは、遊技機設置島の外部より異常発生箇所を認識できる報知手段が特別に備わっていない場合であっても、透明材料によって形成された紙幣搬送装置の前面側と背面側とから照明するようにした発光体の明りにより、たとえばジャム紙幣と搬送ベルトとの前後の位置関係によって、判別することが容易となる。そして、前面と背面からの少なくとも二方向からの照明によって、手暗がりが起きることなくジャム障害の発生箇所が見易くなり、障害の復旧作業が迅速に行えるようになる。【００１３】  異常の発生箇所に対応して報知する報知手段をさらに付設する場合には、遊技機設置島の内部を覗くことなく、外部から異常発生箇所を特定できるようになり、より一層速やかに障害に対処することができるようになる。この報知手段は、上記に記載の照明用の発光体が表裏二方向から点灯するのに対し、片方の遊技機列でのみ作動するようにしているので、どちら側に遊技機列で異常が発生したかも判別することができる。【００１４】  反射板は、光源の点数が少ない場合であっても光を拡散させるとともに、要部を広く明るく照らす効果がある。
【発明を実施するための最良の形態】
【００１５】  次に、本発明の実施形態について、図を参照しながら説明する。図１〜図５は、本発明に関わる紙幣搬送装置を示したものであって、図１は紙幣搬送装置全体を示す正面図、図２はその平面図である。図３は搬送ローラ部において搬送レールを縦に切断したときの断面図、図４は図１における紙幣搬送装置の一部拡大図、図５は一部断面を含む図４の平面図である。【００１６】  まず、本発明の紙幣搬送装置の全体の概要について説明する。紙幣搬送装置１は、図１および図２に示すように、主要な部分が、搬送レール２およびこれに付設された紙幣導入機構３とによって構成されてなるものである。そして、図２に示すように、複数の遊技機（たとえば、スロットマシンＳ）が横一列に並設されて遊技機列が形成され、この遊技機列の二列が、搬送レール２を挟む形で両側に背中合わせの状態で配置されて、両面形式の遊技機設置島として構成されている。【００１７】  これらの遊技機がスロットマシンＳである場合について説明すると、搬送レール２は、たとえば遊技機設置島の上部に載置されたドル箱置き場（図示せず）の裏側付近に設置される。この場合、ドル箱置き場を形成する筐体は前面が開口し、筐体の奥にある背面板は着脱可能に形成される。そして、この背面板を取り外すことによって紙幣搬送装置１が視認できるようになっている。また、遊技機設置島には、スロットマシンＳに隣接して挟まれるように遊技媒体貸機（台間メダル貸機Ｍ）が設置されている。台間メダル貸機ＭはスロットマシンＳに比べて高さが高く、搬送レール２には、台間メダル貸機Ｍと接続可能な位置に紙幣導入機構３が付設される。【００１８】  遊技機設置島の両端部には、垂直回転する向きに複数（大小５枚）のプーリ４が配設され、これらのプーリ４の間に丸断面を有してエンドレスな搬送ベルト５が掛け渡されている。遊技機設置島の一端（図１の右端）には回転駆動モータ６が装備されていて、伝動ベルト７を介してプーリ４の一つに回転力が伝えられ、これによって搬送ベルト５が周回するようになっている。【００１９】  なお、プーリ４は、遊技機設置島両端部のそれぞれにおいて、搬送ベルト５が外周に掛け渡されて回転する駆動用のプーリと、搬送ベルト５を外周側から押圧してテンションを与えるプーリとがセットとなった構成となっている。また、図１の右側下部に描かれる最も径小のプーリ４は、その近傍に回転検知センサ８のセンサ先端部が該プーリ４に対峙して取り付けられており、紙幣搬送装置１が稼動状態にあるか否かが検知できるようになっている。【００２０】  ところで、本実施形態において、掛け渡された搬送ベルト５の上位移動部分５Ｕは、矢印Ａの方向に移動するように構成されているものとする。したがって、搬送ベルト５の下位移動部分５Ｌは、矢印Ａとは逆の方向に移動することになる。このような設定の場合、搬送されてくる紙幣を収納する紙幣収納庫（図示せず）が、たとえば、プーリ４などを収納しているケースのさらに右横に付設される。【００２１】  図３および図４に示すように、搬送レール２は、その上部と下部とに、側壁板９と、直角に曲折された断面を有する長尺の仕切り板１０とによって、コの字状に囲まれる搬送溝部１１を具備している。���壁板９は、長方形のをなす紙幣Ｂの短辺側の幅を包含するだけの高さを有し、通過する紙幣Ｂの前面側から全面を覆うように形成されている。また、側壁板９の内壁面には、擦過しながら通過する紙幣Ｂが側壁板９に貼着して搬送に支障が生じることのないように、紙幣Ｂとの擦過面積を減少させるための複数の僅かな突起が、長手方向に延伸する形で設けられている。【００２２】  仕切り板１０は、通過する紙幣Ｂの背面側に配置された形となる。そして、短辺側を縦にした状態の紙幣Ｂが、その長辺部を上部と下部とに配設された搬送溝部１１に挟持される状態で搬送される。なお、両面形式の遊技機設置島では、紙幣搬送装置１が両面から同じように形成されるので、搬送レール２の断面形状は左右対称となる。【００２３】  搬送レール２の基礎部分は、レール状をなす２本の金属製の搬送レール支持ビーム１３が、遊技機設置島の枠体の上部と下部とに固定されたものである。仕切り板１０は、この搬送レール支持ビーム１３に取り付けられたものである（図示されていない）。そして、仕切り板１０の水平部曲折面の側縁には切欠溝が開設されている。一方、側壁板９には、その上縁部と下縁部とに小さなＴ字状突起１２が所定の間隔でもって上方および下方に向かって突設されている。このＴ字状突起１２の首の部分を仕切り板１０の前記切欠溝に嵌挿させることによって、側壁板９は、上下の仕切り板１０の間に嵌め込まれた状態で着脱自在に支持される。【００２４】  このあと、側壁板９から搬送レール支持ビーム１３を貫いて別の箇所に穿設された貫通穴（図示せず）に、差し込んだ先端部の直径が縮小拡大に変形するクリップ（図示せず）を挿入することによって、側壁板９は確実に遊技機設置島に固定される。側壁板９を取り外すときは、クリップを引き抜いてから側壁板９を手前に引っ張ればよい。【００２５】  搬送レール２には、その対称に形成された断面中心と一致するように、搬送ベルト５の上位移動区間５Ｕが配設されている。搬送ベルト５の下位移動区間５Ｌは、搬送レール２に接触しないように配設されている。そして、前記上位移動区間５Ｕには、この上位移動区間５Ｕを挟んで両サイドから対向させた一対の搬送ローラ１４が、搬送ベルト５に当接させた状態で配設されている。この搬送ローラ１４は、自由に回転することができる丸駒からなるもので、側壁板９に開設された矩形の開口部に装備されている。【００２６】  搬送ローラ１４について、さらに詳しく説明すると、搬送ローラ１４は、搬送レール２を正面から見たときに、その前後方向に摺動可能に形成された保持具を介して保持されたものである。そして、この保持具は、たとえばワイヤスプリングやコイルばねのような弾性部材でもって、常時、搬送ベルト５に向かって付勢されている。搬送ローラ１４は、この付勢力でもって、搬送ベルト５と当接し、かつ軽く押圧するようになっている。【００２７】  このような搬送ローラ１４が、搬送ベルト５を挟んで対をなして配設されるとともに、搬送レール２の長手方向に関して所定の間隔をもって組み込まれる。その間隔とは、搬送ローラ１４が、隣り合う前後の搬送ローラ１４との間で支障なく紙幣Ｂをやりとりして順次繰り出すことのできる間隔である。【０���２８】  搬送レール２に送り込まれてくる紙幣Ｂは、その長辺部が上下の搬送溝部１１に嵌挿されてガイドされると同時に、紙幣Ｂの中間部は、搬送ローラ１４と搬送ベルト５とによって挟持されると同時に軽く押圧を受けている。そして、搬送ベルト５との間の摩擦力でもって、矢印Ａで示される送り方向に搬送されていくのである。【００２９】  さて、搬送レール２には、紙幣通過センサ１５が所定の間隔をおいて装着されている。この紙幣通過センサ１５は、特に紙幣導入機構３の近傍に設置されるのが効果的である。紙幣通過センサ１５は、図５に示されるように、支点回りに揺動可能に形成されたアーム状のアクチュエータ１５ａの先端が、通過する紙幣Ｂと接触して揺動することにより通過を検知するものである。そして、台間メダル貸機Ｍから送信される紙幣投入情報と、紙幣通過センサ１５によって検知される通過情報とによって紙幣の通過状況が順次把握され、その全体の流れの中での検知のタイミングでもって、紙幣が正常に搬送されているか否かが判別できるようになっている。【００３０】  次に、紙幣導入機構３について、図５を参照して、その概略を説明する。紙幣導入機構３は、搬送レール２の間に組み込まれるもので、搬送ベルト５の両側に配設されている。紙幣導入機構３の紙幣導入口１６は、搬送ベルト５に対して垂直方向に向いて開口して台間メダル貸機Ｍと接続しており、台間メダル貸機Ｍに投入される紙幣Ｂを受け入れて導入路１７へと導く。導入路１７は、垂直方向から湾曲しながら徐々に向きを変え、搬送ベルト５の近傍で搬送方向に向かう方向に開口して形成されている。【００３１】  導入路１７の中間部にあって搬送方向の前方側には開口部が設けられ、回転駒１８の一部が該開口部から覗いている。この回転駒１８は、円筒体をなす胴部と、円筒体の外周側に突出して頂部のコーナが丸められた複数の突状部とにより形成されるものである。そして、回転駒１８は、図５の下方に示される紙幣導入機構３についていえば、後述する構成によって時計回りに回転せられ、前記突状部が回転を伴って紙幣Ｂと接触することにより引き込み作用が働いて、搬送ベルト５の方向へと紙幣Ｂを誘導する。【００３２】  したがって、突状部には滑りの起きにくい材料を使用することが必要であり、実際には、回転駒１８は、合成樹脂の円板と、たとえばゴム製の多角形板とを交互に積層して一体としたものが使用されている。本実施形態においては、この多角形板は、三角形の頂部コーナを丸めた形状のものとなっている。【００３３】  回転駒１８の回転軸１９は、アームケース２０の後端も同時に軸支しており、アームケース２０は、回転軸１９を中心として揺動自在に形成されている。一方、このアームケース２０の先端には、搬送ローラ２１が回転軸２２を中心にして回転可能に装着されるとともに、アームケース２０は、板バネ２３によって搬送ベルト５を押圧する方向に付勢されている。回転駒１８の回転軸１９および搬送ローラ２１の回転軸２２の一端には、その外周面に軸線方向に延伸する鋸歯状の刻み目によって滑り止めが施され、双方の間に伝動ベルト２４が掛け渡されている。【００３４】  紙幣搬送装置１が稼動して搬送ベルト５の上位移動区間５Ｕが矢印Ａ��方向に移動するのに伴って、搬送ローラ２１が時計方向に回転するようになり、もって回転駒１８が時計方向に回転するようになる。なお、図５の上方に示される紙幣導入機構３については、勝手の異なる同様の構成によって、回転駒１８には反時計回りの回転が与えられることになり、その結果、紙幣Ｂを誘導するように作用する。【００３５】  以上のような構成によって、紙幣導入口１６を通じて紙幣導入機構３に送り込まれた紙幣Ｂは、搬送レール２に合流して、駆動ベルト５と搬送ローラ１４および搬送ローラ２１とによって順送りに挟持されて搬送され、ついには紙幣収納庫へと収納される。紙幣搬送レール２および紙幣導入機構３の本体は、透明な合成樹脂によって形成されており、搬送の途中でジャム障害が起きたときには、たとえばドル箱置き場を形成する筐体の背面板を取り外すことにより紙幣搬送レール２および紙幣導入機構３を視認することができ、ジャム紙幣Ｂを発見することができるようになる。
【実施例】
【００３６】  以上のように構成される紙幣搬送装置１にあって、本実施例では、紙幣通過センサ１５は、紙幣導入機構３が組み込まれる位置から搬送方向に向かって最初に現れる搬送ローラ１４の近傍に装着され、本発明における搬送異常検出手段としている。そして、紙幣通過センサ１５と次の紙幣通過センサ１５との間に少なくとも一つの発光体２５が配設され、紙幣搬送装置１の前面側から照明できるようになっている。発光体２５は、白熱球や蛍光灯のほか、発光ダイオード（ＬＥＤ）などが採用される。【００３７】  さらに反対側の遊技機列にも、ほぼ対称な位置に発光体２５が装着されて、背面側からも照明するようになっている。すなわち、反対側の遊技機列に回って見たときは、反対側の遊技機列を正面から照明していることになる。そして、紙幣搬送の異常が検出されたときは、異常発生箇所を含む範囲に設定された発光体２５と、これと対称に配設された発光体２５との両方が点灯し、前面側と背面側とから同時に照明するように構成されている。【００３８】  これにより、異常発生箇所を容易に発見することができ、また、搬送ベルト５との前後の位置関係がはっきりとすることから、遊技機列のどちら側にジャム障害が起きているかを判別することができるようになる。さらに、障害の解消作業の最中に、手暗がりとなることが防止できるようになるため、作業が迅速に行える。【００３９】  また、報知手段として発光体２５とは別の発光体２６が、遊技機設置島の外部から視認できるように付設されるとともに、紙幣通過センサ１５に接続配線されている。この発光体２６は、異常の発生した遊技機列の側についてのみ点灯するようにされることで、上記のように紙幣搬送装置１を覗くことなく、どちら側の遊技機列のどの位置で異常が発生したかを特定できるようになる。なお、この報知手段は、音を利用したものでも良く、また光と音とを併用したものであっても良い。【００４０】  照明用の発光体２５は、本実施形態においては、図３に示すように、反射板２７を伴って紙幣搬送装置１の下部に、紙幣搬送装置１を挟んで対称的に配置されている。この反射板２７は、搬送レール支持ビーム１３と兼用した状態で形成することができる。反射板２７は、たとえばアルミニウム合金やステンレス鋼といった金属製のもので、反射面は、好ましくは、光沢のある鏡面状に仕上げられたものとする。これにより、光が拡散して、広い範囲を効率的に明るく照明することができる。発光体２５は、紙幣搬送装置１の上部に配置されたものでも良く、また、上部と下部との両方に配置されたものでも良い。
【図面の簡単な説明】
【００４１】
【図１】  本発明の紙幣搬送装置の外観を示す正面図である。
【図２】  図１の平面図である。
【図３】  搬送レールを搬送ローラ部において縦に切断したときの断面図である。
【図４】  図１における紙幣搬送装置の一部拡大図である
【図５】  一部断面を含む図４の平面図である。
【符号の説明】
【００４２】１  紙幣搬送装置
２  搬送レール
３  紙幣導入機構
５  搬送ベルト
１３  搬送レール支持ビーム
１４  搬送ローラ
１５  紙幣通過センサ
１５ａ  アクチュエータ
２１  搬送ローラ
２５  発光体
２６  発光体
２７  反射板
Ｂ  紙幣
Ｍ  台間メダル貸機
Ｓ  スロットマシン
【図１】
2005342483.tif 000003
【図２】
2005342483.tif 000004
【図３】
2005342483.tif 000005
【図４】
2005342483.tif 000006
【図５】
2005342483.tif 000007